(57)【要約】      （修正有）【課題】延長床版の設計に際して、橋梁側の端部と延長床版との接合部における必要な強度を備えつつコストダウンを図る。【解決手段】延長床版２１は複数のプレキャスト製コンクリート版を接合してなり、延長床版１２と前記橋梁側の端部との間はメナーゼヒンジ２３を介して場所打ちコンクリート２４にて接合するように設計する。そして、メナーゼヒンジ２３の設計においては、両側車線にわたって車両がメナーゼヒンジ２３上に載荷された状態で、輪荷重によって発生する活荷重と、延長床版１２と舗装３０と地覆の各体積によって発生する死荷重とを合算してせん断力を算定し、底版１７と延長床版１２の摩擦係数をμ＝1.0として横軸方向温度下降時の水平力を求めて軸力を算定し、前記せん断力と軸力とから応力計算してメナーゼヒンジ２３の鉄筋径及び鉄筋本数を検討する。【選択図】図１
2006307473.tif 000002
【特許請求の範囲】
【請求項１】
土工部側に配置された底版の上に橋梁側の端部から土工部側へ延設されて土工部側に伸縮装置を設けた延長床版であって、
該延長床版と前記橋梁側の端部との間はヒンジ構造を介して場所打ちコンクリートにて接合する構成であることを特徴とする延長床版の設計方法。
【請求項２】
両側車線にわたって輪荷重がヒンジ構造上に載荷された状態で、輪荷重によって発生する活荷重と、延長床版と舗装と地覆の各体積によって発生する死荷重とを合算してせん断力を算定し、
底版と延長床版の摩擦係数を考慮して横軸方向温度下降時の水平力を求めて軸力を算定し、
前記せん断力と軸力とから応力計算してヒンジ構造の鉄筋径及び鉄筋本数を検討する請求項１記載の延長床版の設計方法。
【請求項３】
ヒンジ構造にかかる上部工反力から橋軸直角方向の水平力を求め、レベル１地震動に対しては耐え、かつ、レベル２地震動に対しては降伏するようにヒンジ構造の鉄筋径及び鉄筋本数を検討する請求項１または２記載の延長床版の設計方法。
【発明の詳細な説明】
【技術分野】
【０００１】
本発明は延長床版の設計方法に関するものであり、特に、延長床版と橋梁側の端部との間にヒンジ構造を介して接合する延長床版の設計方法に関するものである。
【背景技術】
【０００２】
従来、橋桁の温度変化による伸縮を吸収するために、橋桁と橋台との間に伸縮装置を設けている。伸縮装置が橋桁と橋台との隙間にあるため、車両が通過する際にショックが発生して乗員に不快感を与えるとともに、騒音及び振動の発生による環境悪化が問題となる。
【０００３】
この不具合を解消するために、本願出願人は、土工部側にプレキャストコンクリート製の底版を配置し、該底版の一端部を橋台に受けさせるとともに、該底版の上に橋梁側から土工部側へ延設されるプレキャストコンクリート製の延長床版を配置し、土工部側に伸縮装置を設けた工法を提案している（例えば、特許文献１参照）。
【特許文献１】特開２００４−０８４２８０号公報
【発明の開示】
【発明が解決しようとする課題】
【０００４】
特許文献１記載の発明は、橋梁床版を延長して伸縮装置を土工部側へ移設したことにより、通過車両からの衝撃が緩和されて振動や騒音の発生を低減することができる。橋梁側の端部と延長床版との間には、路長方向と路幅方向とへ鉄筋を縦横に配筋し、場所打ちコンクリートを打設して双方を接合することにより、温度変化による橋梁側の伸縮を確実に延長床版へ伝達させている。
【０００５】
いままでは、橋梁側の端部と延長床版との接合部が縦横に鉄筋を配筋した剛結合であるため、桁の回転による跳ね上がりから片持ち梁として荷重に耐えられるように、鉄筋量を増やすか、床版を厚くするなど、コストアップの要因となっている。
【０００６】
そこで、延長床版の設計に際して、橋梁側の端部と延長床版との接合部における必要な強度を備えつつコストダウンを図るために解決すべき技術的課題が生じてくるのであり、本発明はこの課題を解決することを目的とする。
【課題を解決するための手段】
【０００７】
本発明は上記目的を達成するために提案されたものであり、土工部側に配置された底版の上に橋梁側の端部から土工部側へ延設されて土工部側に伸縮装置を設けた延長床版であって、該延長床版と前記橋梁側の端部との間はヒンジ構造を介して場所打ちコンクリートにて接合する構成である延長床版の設計方法を提供する。
【０００８】
また、両側車線にわたって輪荷重がヒンジ構造上に載荷された状態で、輪荷重によって発生する活荷重と、延長床版と舗装と地覆の各体積によって発生する死荷重とを合算してせん断力を算定し、底版と延長床版の摩擦係数を考慮して横軸方向温度下降時の水平力を求めて軸力を算定し、前記せん断力と軸力とから応力計算してヒンジ構造の鉄筋径及び鉄筋本数を検討する請求項１記載の延長床版の設計方法を提供する。
【０００９】
また、ヒンジ構造にかかる上部工反力から橋軸直角方向の水平力を求め、レベル１地震動に対しては耐え、かつ、レベル２地震動に対しては降伏するようにヒンジ構造の鉄筋径及び鉄筋本数を検討する延長床版の設計方法を提供する。
【００１０】
上記構成によれば、橋梁部側と延長床版との間はヒンジ構造を配設して場所打ちコンクリートを打設するので、接合部がヒンジ構造の柔結合となる。したがって、荷重による曲げモーメントが発生しないため、接合部の鉄筋量を減少することができ、床版の厚さを薄く設計できる。
【発明の効果】
【００１１】
本発明は、橋梁側の端部と延長床版との間にヒンジ構造を介装して場所打ちコンクリートにて接合するため、橋梁部側と延長床版との接合部が柔結合となり、従来の橋梁における床版の設計と比較して、鉄筋量を減少して、床版の厚さも薄く設計することができ、延長床版の設計に際して、必要な強度を備えつつコストダウンを図ることが可能となる。
【発明を実施するための最良の形態】
【００１２】
以下、本発明に係る延長床版の設計方法について、好適な実施例をあげて説明する。延長床版の設計に際して、橋梁側の端部と延長床版との接合部における必要な強度を備えつつコストダウンを図るという目的を、延長床版と前記橋梁側の端部との間はヒンジ構造を介して場所打ちコンクリートにて接合するように設計することで実現した。
【実施例１】
【００１３】
図１は橋梁部付近に施工された延長床版の断面図であり、橋梁部１０を形成している橋桁１１は支承１２を介して橋台１３に載置され、橋桁１１の上に橋梁床版１４が配置されている。土工部１５は締め固めた盛土１６の上に底版１７を配置し、該底版１７の一端部を橋台１３の上面まで延設して緩衝ゴム１８を介してアンカーボルト１９にて固定する。該底版１７には所々にグラウト注入孔２０が設けられ、ジャッキなどによって底版１７の高さ調整を行った後に、このグラウト注入孔２０からグラウト材を注入して盛土１６との隙間へ充填する。
【００１４】
底版１７の上には延長床版２１が配置され、該延長床版２１の橋梁部１０側の一端部は緩衝ゴム２２を介して前記橋梁床版１４の上面に載置されている。そして、該延長床版２１の一端部に埋設されているヒンジ構造（本実施例ではメナーゼヒンジ）２３の突出部分に場所打ちコンクリート２４を打設して、延長床版２１と橋梁床版１４とが一体的に接合される。該延長床版２１の他端部はコッター式継手２６を介して着脱式床版２７の一端部に接合されている。該着脱式床版２７には伸縮装置２８が設けられ、該着脱式床版２７の他端部側はアンカーボルト２９で前記底版１７に固定されている。そして、前記延長床版２１の上面には橋梁部１０から連続的に舗装面３０が施工されている。
【００１５】
前記底板１７及び延長床版２１は、それぞれ複数のプレキャスト鉄筋コンクリート版を接続してなり、底板１７と延長床版２１との接触面は極めて平滑に形成されている。橋梁部１０側の温度変化で橋桁１１が伸び縮みしたときは、橋梁床版１４に接合された延長床版２１が橋梁床版１４に押し引きされて底版１７の上面を滑動し、橋桁１１の伸び縮みが前記伸縮装置２８にて吸収される。
【００１６】
次に、前記延長床版２１の設計方法について説明する。図２は延長床版の設計方法のフローチャートであり、先ず準備作業として設計条件を整理し、キックアップ量による延長床版の長さを決定する。
【００１７】
底版の検討に関しては、先ず踏掛版として或いは滑面形成を目的とした版としての検討により、底版の厚さ、基本配筋を決定する。構造部材としての検討は、壁高欄車両衝突時の検討及びコッター配置間隔を検討する。プレキャスト製コンクリート版吊込時等施工時の検討としては、リフトアップ時の検討を行う。そして、底版固定用アンカーを検討する
。
【００１８】
延長床版、着脱式床版の検討に関しては、本発明では延長床版の設計を橋梁床版ではなくコンクリート舗装版として検討して基本配筋を決定する。構造部材としての検討としては、遊間部での応力検討及び壁高欄車両衝突時の検討、コッター配置間隔を検討する。そして、底版と同様にプレキャスト製コンクリート版吊込時等施工時の検討を行う。着脱式床版の固定側アンカーボルトの検討としては、アンカーボルト及びインサートの検討を行う。
【００１９】
橋梁接合部の検討に関しては、ヒンジ構造の一例としてメナーゼヒンジを使用するものとし、遊間の検討、メナーゼヒンジの検討、地震時の検討などが必要である。
§１設計条件
（１）設計方法
道路橋示方書に準拠し、ＲＣ解析の許容応力度設計法により設計を行う。
（２）使用材料
使用材料の一例を表１に示す。
【００２０】
【表１】
2006307473.tif 000003
【００２１】
（３）諸物理定数
鉄筋コンクリートの諸物理定数の一例を表２に示す。
【００２２】
【表２】
2006307473.tif 000004
【００２３】
鉄筋のヤング係数は、Ｅs＝2.0×105(N/mm2)
コッター式継手（Ｈ型金物）のヤング係数は、Ｅco＝1.7×105 (N/mm2)
（４）荷重条件
4.1活荷重
活荷重は、Ｂ活荷重（Ｔ−２５）とする。図３（ａ）は図中左右方向に橋軸方向を示し、図３（ｂ）は図中左右方向に橋軸直角方向を示す。
【００２４】
4.2死荷重
死荷重は、鉄筋コンクリートγcとアスファルト舗装γaの荷重値の一例を表３に示す。
【００２５】
【表３】
2006307473.tif 000005
【００２６】
（５）許容応力度
各使用材料の許容応力度の一例を表４に示す。
【００２７】
【表４】
2006307473.tif 000006
【００２８】
許容応力度の割増し係数の一例を表５に示す。
【００２９】
【表５】
2006307473.tif 000007
【００３０】
（６）前提条件
当該延長床版は、発注者の意向及び橋梁の諸条件により、以下のような前提で設計を行うものとする。
「延長床版長」
橋梁端部に設置される伸縮装置が、土工部側へ移動した距離をさす。
「キックアップ量」
橋梁端部において、活荷重等によるたわみによって発生する橋梁端部の回転による跳ね上がり量（浮き上がり量）をさす。本発明では、最大値で+0.002radをもって検討する。
「橋梁移動量」
橋梁移動量は、橋梁温度伸縮及び地震動レベル１時の移動量によって決定され、その値の中で一番大きな数値から伸縮装置を決定する。
【００３１】
橋梁の伸縮量の値の一例を表６に示す。
【００３２】
【表６】
2006307473.tif 000008
【００３３】
上記値により、延長床版に設置する伸縮装置は、橋軸方向±100.6mmの伸縮量に対応する伸縮装置とする。
「地震力」
地震時、橋梁と延長床版では異なる動き方をすると考えられ。延長床版が橋梁に無理な負担を強いないために、橋梁と延長床版を接合しているメナーゼヒンジを地震動レベル２時には降伏するように設計する。橋梁の地震時に発生する力の一例を表７に示す。
【００３４】
【表７】
2006307473.tif 000009
【００３５】
（７）構造細目
7.1形状及び部材寸法
プレキャスト製コンクリート版の版厚は下記の条件を満たすものとする。
【００３６】
(1)最小全厚  160mm以上
(2)コッター式継手仕様に伴う必要版厚  200mm以上
上記の条件から、プレキャスト製コンクリート版の版厚を200mm以上とする。延長床版の版厚はt=200mm、底版の版厚は踏掛版の設計により決定する。
【００３７】
7.2最小鉄筋量
部材には、その断面積の0.15%以上の付着力のある鋼材を配置する。
【００３８】
鉄筋コンクリート構造に配置する軸方向引張主鉄筋の断面積は次式により決定する。
【００３９】
Ａst≧0.005ｂw・ｄ
ただし、せん断力が作用する方向の厚さが薄く、斜引張鉄筋を配置することができない部材については次式により決定する。
【００４０】
Ａst≧0.01ｂw・ｄ
ここで、Ａst：軸方向引張主鉄筋の断面積(mm2)
ｂw ：けたのウエブ厚(mm)
ｄ ：有効厚(mm)
7.3最小かぶり
プレキャスト部材と場所打ちコンクリートの最小かぶりの一例を表８に示す。
【００４１】
【表８】
2006307473.tif 000010
【００４２】
7.4鉄筋のあき
鉄筋のあきは下記の条件をすべて満たすものとする。
【００４３】
(1)40mm以上（プレキャスト部材では20mm以上）
(2)粗骨材（20mm）の最大寸法の4/3倍以上
(3)鉄筋の直径の1.5倍以上
7.5鉄筋の継手
引張鉄筋に重ね継手を用いる場合は、次式により算出する重ね継手長Ｌa以上かつ鉄筋の直径の20倍以上重ね合わせるものとする。また、重ね継手は継手に対して直角に配置した２本以上の鉄筋で補強するものとする。なお、引張鉄筋に機械式継手を用いる場合は、鉄筋の種類、直径、応力状態、継手位置等を考慮して、継手部の強度を定めるものとする。
【００４４】
Ｌa＝(σsa・φ)/(4τ0a)
ここで、Ｌa ：付着応力度より算出する重ね継手長(mm)
σsa：鉄筋の許容引張応力度(N/mm2)
φ ：鉄筋の直径(mm)
τ0a：コンクリートの許容付着応力度(N/mm2)
なお、継手が同一断面に集中する場合は、「鉄筋継手指針（コンクリートライブラリー第49号）」（土木学会）Ｉ．9条(2)を参照するものとする。
【００４５】
7.6主鉄筋の配置
主鉄筋は、直径13mm以上の鉄筋とする。
【００４６】
主鉄筋は、２段以下に配置する。
【００４７】
7.7用心鉄筋の配置
コンクリートの乾燥収縮、温度勾配、応力集中等により生じる可能性のあるひび割れを有害でない程度に抑えるように鉄筋を配置するものとする。
【００４８】
用心鉄筋は、直径13mm以上とし、300mm以下の間隔で配置する。
【００４９】
打継目付近には、新旧コンクリート間の温度差、乾燥収縮等により生じる引張応力に対して用心鉄筋を配置する。
§２ヒンジ構造の検討
前述したように、従来は橋梁側の端部と延長床版との接合部が剛結合であるため、片持ち梁として荷重に耐えられるように、鉄筋量を増やすか、床版を厚くするなど、コストアップの要因となっているが、本発明では延長床版の設計に際して、橋梁側の端部と延長床版との間にヒンジ構造を介装して場所打ちコンクリートにて接合することにより、接合部を柔結合にして、必要な強度を備えつつコストダウンを図るようにする。
【００５０】
ヒンジ構造の一例として例えばメナーゼヒンジの鉄筋の設計では、道路橋支承便覧からメナーゼヒンジ支承の設計を参照して、次式で鉄筋の引張応力σscを検討する。なお、メ
ナーゼヒンジはその略半分の長さが予め工場にて延長床版に配設され、残り部分は上部筋及び下部筋とも延長床版の端部から外へ露出させておくものとする。
【００５１】
σsc＝S/(n・As・sinθ)＋N/(n・As・cosθ)  …（１式）
ここで、S ：せん断力
n ：鉄筋の本数
As：鉄筋１本当たりの断面積
θ：鉄筋の交差角度
（１）鉛直荷重と温度変化に対する検討
1.1せん断力の算定
片側車線に車両が１台として、両側車線で車両２台がメナーゼヒンジ直上に載荷された状態を想定し、全幅が10.7mで検討する。図４は橋梁床版と延長床版の接合部付近の拡大図であり、設計の一例として、例えば遊間の橋台側端部から接合部のメナーゼヒンジ端部までの長さを1240mm、延長床版の厚さを200mm、底版の厚さを300mm、舗装の厚さを80mmとする。
【００５２】
(1)活荷重（輪荷重）
衝撃荷重ｉ＝20/(50＋L)
＝20/(50＋1.24)＝0.39
Ｐ＝P×(1＋ｉ)＝139.0(kN)
後輪荷重は１台分で２×Ｐであるので全幅２台分では
ΣＰ＝４(輪)×Ｐ＝556.0(kN) となる。
(2)死荷重
表３の荷重値を参照して死荷重を求める。
【００５３】
延長床版：10.7(m)×1.240(m)×0.200(m)×24.50(kN/m3)＝65.0(kN)
舗装    ：9.50(m)×1.240(m)×0.080(m)×22.50(kN/m3)＝21.2(kN)
地覆    ：0.120(m2)×1.24(m)×2(ケ)×24.50(kN/m3)  ＝  7.3(kN) 
小計                                                93.5(kN)
死荷重はメナーゼヒンジに集中することはないが、安全を考慮して２台分の輪荷重と死荷重とを加算してせん断力を算定する。
【００５４】
せん断力  S＝556.0(kN)＋93.5(kN)＝649.5(kN)
1.2軸力の算定
底版と延長床版との摩擦係数は安全を考慮して、μ＝1.0とする。軸力は橋梁の温度変化による伸縮時にメナーゼヒンジに対して橋軸方向へ作用する水平力であるが、温度下降時に橋梁が収縮するときの引張力についてのみ検討する。そして、温度上昇時に橋梁が伸張するときは、軸力が圧縮方向へ作用して断面計算上有利となるため、圧縮時に関しては軸力を考慮しないものとする。設計の一例として、図１に示した延長床版２１及び着脱式床版２７の全長、すなわち、メナーゼヒンジ２３の交差部分である場所打ちコンクリート２４側の端部から伸縮装置２８側の端部までの長さを5230mmとする。軸力は死荷重であるので、表３の荷重値を参照して下記のように求める。
【００５５】
延長床版：10.7(m)×5.230(m)×0.200(m)×24.50(kN/m3)＝274.2(kN)
舗装    ：9.50(m)×5.230(m)×0.080(m)×22.50(kN/m3)＝ 89.4(kN)
地覆    ：0.120(m2)×1.24(m)×2(ケ)×24.50(kN/m3)  ＝  30.8(kN) 
合計Rh                                              394.4(kN)
軸力  N＝Rh＝394.4(kN)
1.3応力計算
メナーゼヒンジを構成する鉄筋の許容引張応力σsaを180N/mmとすれば、前述の（１
式）から鉄筋の本数nは次式で表される。
【００５６】
n＝S/(σsa・As・sinθ)＋N/(σsa＝n・As・cosθ)
ここで、設計の一例として、例えばメナーゼヒンジが鉄筋径D16（As＝198.6mm）であるとすれば、
n＝649.5/[180×198.6×(1/√2)]＋394.4/[180×198.6×(1/√2)]
＝25.695＋15.603
＝41.298
⇒42 (本)
鉄筋が２本１組かつ偶数組とすれば、全幅で22組のメナーゼヒンジを私用すればよいが、後述するレベル１地震動の照査により52本の鉄筋が必要となるので、全幅で26組のメナーゼヒンジにて接合部が構成されるように設計するものとする。
（２）地震時に対する検討
橋軸直角方向に対する地震時のメナーゼヒンジの耐震性能について検討する。
レベル１地震動及びレベル２地震動における耐震性能は、表９に示すように設計する。
【００５７】
【表９】
2006307473.tif 000011
【００５８】
2.1レベル１地震動
ＨA＝kh×Ｒv
ここで、ＨA：メナーゼヒンジにかかる水平力
ＲV：上部工反力
kh ：橋によって異なる係数
上部工反力ＲVは橋の自重と考えて、
ＲV＝3854.182(kN)(主桁)＋93.5(kN)(延長床版)＝3947.682(kN)
上部工設計計算書に基づいて、レベル１地震動に対しては例えばkh＝0.30とする。
【００５９】
したがって
ＨA＝0.30×3947.7(kN)＝1184.3(kN)
そして、レベル１地震動におけるメナーゼヒンジの鉄筋の耐力Ｐは、
Ｐ＝n・τas・α・Ａs
ここで、  n  ：鉄筋の本数
τas：鉄筋の許容せん断耐力
α ：割り増し係数（頻繁に起こらない場合は5割増し）
Ａs ：鉄筋の断面積
Ｐ＝52(本)×80(N/mm)×1.5×198.6(mm2)
＝1,239,264(N)
すなわち
Ｐ＝1239.3(kN) ＞ ＨA＝1184.3(kN)
となり、レベル１地震動に対してはメナーゼヒンジが耐えうるように設計する。
【００６０】
2.2レベル２地震動
(a)タイプ１地震動
レベル２地震動のタイプ１（海洋型）においては、
上部工設計計算書に基づいて、レベル１地震動に対してはkhc＝1.00とする。
【００６１】
上部工反力ＲVは前述と同じで、ＲV＝3947.682(kN)
したがって
ＨA＝khc×Ｒv
ＨA＝1.00×3947.7(kN)＝3947.7(kN)
そして、鉄筋の降伏については、von Misesの降伏条件を適用して
τsy＝σsy/30.5
＝345(N/mm2)/1.732
＝199(N/mm2)
したがって、レベル２地震動のタイプ１におけるメナーゼヒンジの鉄筋の耐力Ｐは
Ｐ＝n・τsy・α・Ａs
＝52(本)×199(N/mm2)×198.6(mm2)
＝2,055,113(N)
すなわち、
Ｐ＝2055.11(kN) ＜ ＨA＝3947.7(kN)
となり、レベル２地震動のタイプ１に対してはメナーゼヒンジが降伏するように設計する。
【００６２】
(b)タイプ２地震動
レベル２地震動のタイプ２（直下型）においては、
上部工設計計算書に基づいて、レベル２地震動に対してはkhc＝1.50とする。
【００６３】
上部工反力ＲVは前述と同じで、ＲV＝3947.682(kN)
したがって
ＨA＝khc×Ｒv
ＨA＝1.50×3947.7(kN)＝5921.6(kN)
そして、鉄筋の降伏については、前述と同様に、von Misesの降伏条件を適用して
τsy＝σsy/30.5
＝345(N/mm2)/1.732
＝199(N/mm2)
したがって、レベル２地震動のタイプ２におけるメナーゼヒンジの鉄筋の耐力Ｐは
Ｐ＝n・τsy・α・Ａs
＝52(本)×199(N/mm2)×198.6(mm2)
＝2,055,113(N)
すなわち、
Ｐ＝2055.11(kN) ＜ ＨA＝5921.6(kN)
となり、レベル２地震動のタイプ２に対してはメナーゼヒンジが降伏するように設計する。
【００６４】
このように、前述した設計上件のもとでは、メナーゼヒンジの鉄筋本数を52本（26組）と設計することにより、レベル１地震動に対してはメナーゼヒンジが耐えて延長床版を保持する。そして、レベル２地震動に対してはメナーゼヒンジが降伏して橋梁から延長床版が切り離されるため、延長床版が大きく振られたとしても橋梁本体を破壊するなどの悪影響を及ぼすことを防止できる。
【００６５】
なお、本実施例で表した各数値は一例であり、本発明の精神を逸脱しない限り、該数値を改変して他の数値を使用することもでき、そして、本発明がこの改変されたものに及ぶことは当然である。
【図面の簡単な説明】
【００６６】
【図１】橋梁部付近に施工された延長床版の断面図。
【図２】延長床版の設計方法のフローチャート。
【図３】活荷重を説明する図で、（ａ）は図中左右方向に橋軸方向を示し（ｂ）図中左右方向に橋軸直角方向を示す図。
【図４】橋梁床版と延長床版の接合部付近の拡大図。
【符号の説明】
【００６７】
１０  橋梁部
１１  橋桁
１２  支承
１３  橋台
１４  橋梁床版
１５  土工部
１６  盛土
１７  底版
１８  緩衝ゴム
１９  アンカーボルト
２０  グラウト注入孔
２１  延長床版
２２  緩衝ゴム
２３  メナーゼヒンジ（ヒンジ構造）
２４  場所打ちコンクリート
２６  コッター式継手
２７  着脱式床版
２８  伸縮装置
２９  アンカーボルト
３０  舗装面
【図１】
2006307473.tif 000012
【図２】
2006307473.tif 000013
【図３】
2006307473.tif 000014
【図４】
2006307473.tif 000015